(57)【要約】    【課題】  全ズーム範囲及び全物体距離にわたり高い光学性能が容易に得られるレンズ全長の短い小型のズームレンズを得ること。    【解決手段】  最も物体側に正の屈折力のレンズ群ＬＰが配置され、レンズ群ＬＰの像側に負の屈折力のレンズ群ＬＮＦが配置され、レンズ群ＬＮＦの像側に開口絞りが配置され、開口絞りより像側に、物体側から像側へ順に連続して正のレンズ群ＬＰ１、負のレンズ群ＬＮ１、正のレンズ群ＬＰ２、負のレンズ群ＬＮ２が配置され、ズーミングに際して隣り合うレンズ群の間隔が変化するズームレンズであって、フォーカシングに際してレンズ群ＬＮ１が移動し、望遠端における全系の焦点距離ｆｔ、望遠端におけるレンズ全長Ｔｄｔ、広角端に比べて望遠端でのレンズ群ＬＰ２とレンズ群ＬＮ２のレンズ群間隔の変化量ΔＬＰＮ２、広角端におけるレンズ全長Ｔｄｗを各々適切に設定すること。【選択図】    図１
2019008236.tif 000002
【特許請求の範囲】
【請求項１】
最も物体側に正の屈折力のレンズ群ＬＰが配置され、該レンズ群ＬＰの像側に負の屈折力のレンズ群ＬＮＦが配置され、該レンズ群ＬＮＦの像側に開口絞りが配置され、該開口絞りより像側に、物体側から像側へ順に連続して正の屈折力のレンズ群ＬＰ１、負の屈折力のレンズ群ＬＮ１、正の屈折力のレンズ群ＬＰ２、負の屈折力のレンズ群ＬＮ２が配置され、ズーミングに際して隣り合うレンズ群の間隔が変化するズームレンズであって、
フォーカシングに際して前記レンズ群ＬＮ１が移動し、望遠端における全系の焦点距離をｆｔ、望遠端におけるレンズ全長をＴｄｔ、広角端におけるレンズ全長をＴｄｗ、広角端での前記レンズ群ＬＰ２と前記レンズ群ＬＮ２のレンズ群間隔に対する望遠端での前記レンズ群ＬＰ２と前記レンズ群ＬＮ２のレンズ群間隔の変化量をΔＬＰＮ２とし、ΔＬＰＮ２の符号は広角端に比べて望遠端においてレンズ群間隔が増加するときを正、減少するときを負とするとき、
０．４０＜ｆｔ／Ｔｄｔ＜１．２０
０．０５＜−ΔＬＰＮ２／Ｔｄｗ＜０．３０
なる条件式を満足することを特徴とするズームレンズ。
【請求項２】
ズーミングに際して前記レンズ群ＬＰ２は不動であることを特徴とする請求項１に記載のズームレンズ。
【請求項３】
広角端から望遠端へのズーミングにおける前記レンズ群ＬＮ１の移動量をΔＭＬＮ１、（レンズ群の移動量は広角端と望遠端におけるレンズ群の光軸上の位置の差をいい、移動量の符号はレンズ群が広角端と比べて望遠端において像側に位置するときを正、物体側に位置するときを負とする）とするとき、
０．０２＜−ΔＭＬＮ１／Ｔｄｗ＜０．１０
なる条件式を満足することを特徴とする請求項１又は２に記載のズームレンズ。
【請求項４】
広角端から望遠端へのズーミングにおける前記レンズ群ＬＮ２の移動量をΔＭＬＮ２、（レンズ群の移動量は広角端と望遠端におけるレンズ群の光軸上の位置の差をいい、移動量の符号はレンズ群が広角端と比べて望遠端において像側に位置するときを正、物体側に位置するときを負とする）とするとき、
０．０５＜−ΔＭＬＮ２／Ｔｄｗ＜０．３０
なる条件式を満足することを特徴とする請求項１乃至３のいずれか１項に記載のズームレンズ。
【請求項５】
前記レンズ群ＬＰ２の焦点距離をｆＬＰ２、前記レンズ群ＬＮ２の焦点距離をｆＬＮ２とするとき、
０．４０＜−ｆＬＰ２／ｆＬＮ２＜１．５０
なる条件式を満足することを特徴とする請求項１乃至４のいずれか１項に記載のズームレンズ。
【請求項６】
前記レンズ群ＬＰ１の焦点距離をｆＬＰ１とするとき、
０．１０＜ｆＬＰ１／ｆｔ＜０．４０
なる条件式を満足することを特徴とする請求項１乃至５のいずれか１項に記載のズームレンズ。
【請求項７】
前記レンズ群ＬＮ１の焦点距離をｆＬＮ１とするとき、
０．１０＜−ｆＬＮ１／ｆｔ＜０．５０
なる条件式を満足することを特徴とする請求項１乃至６のいずれか１項に記載のズームレンズ。
【請求項８】
前記レンズ群ＬＰ２の焦点距離をｆＬＰ２とするとき、
０．３０＜ｆＬＰ２／ｆｔ＜１．００
なる条件式を満足することを特徴とする請求項１乃至７のいずれか１項に記載のズームレンズ。
【請求項９】
前記レンズ群ＬＮ２の焦点距離をｆＬＮ２とするとき、
０．４０＜−ｆＬＮ２／ｆｔ＜１．５０
なる条件式を満足することを特徴とする請求項１乃至８のいずれか１項に記載のズームレンズ。
【請求項１０】
前記ズームレンズは、物体側から像側へ順に配置された、正の屈折力の第１レンズ群、負の屈折力の第２レンズ群、開口絞り、正の屈折力の第３レンズ群、負の屈折力の第４レンズ群、正の屈折力の第５レンズ群、負の屈折力の第６レンズ群より構成され、
前記第１レンズ群は前記レンズ群ＬＰであり、前記第２レンズ群は前記レンズ群ＬＮＦであり、前記第３レンズ群は前記レンズ群ＬＰ１であり、前記第４レンズ群は前記レンズ群ＬＮ１であり、前記第５レンズ群は前記レンズ群ＬＰ２であり、前記第６レンズ群は前記レンズ群ＬＮ２であることを特徴とする請求項１乃至９のいずれか１項に記載のズームレンズ。
【請求項１１】
前記ズームレンズは、物体側から像側へ順に配置された、正の屈折力の第１レンズ群、負の屈折力の第２レンズ群、開口絞り、正の屈折力の第３レンズ群、負の屈折力の第４レンズ群、正の屈折力の第５レンズ群、負の屈折力の第６レンズ群、正の屈折力の第７レンズ群、負の屈折力の第８レンズ群より構成され、
前記第１レンズ群は前記レンズ群ＬＰであり、前記第２レンズ群は前記レンズ群ＬＮＦであり、前記第５レンズ群は前記レンズ群ＬＰ１であり、前記第６レンズ群は前記レンズ群ＬＮ１であり、前記第７レンズ群は前記レンズ群ＬＰ２であり、前記第８レンズ群は前記レンズ群ＬＮ２であることを特徴とする請求項１乃至９のいずれか１項に記載のズームレンズ。
【請求項１２】
前記ズームレンズは、物体側から像側へ順に配置された、正の屈折力の第１レンズ群、正の屈折力の第２レンズ群、負の屈折力の第３レンズ群、開口絞り、正の屈折力の第４レンズ群、負の屈折力の第５レンズ群、正の屈折力の第６レンズ群、負の屈折力の第７レンズ群、正の屈折力の第８レンズ群、負の屈折力の第９レンズ群より構成され、
前記第１レンズ群は前記レンズ群ＬＰであり、前記第３レンズ群は前記レンズ群ＬＮＦであり、前記第６レンズ群は前記レンズ群ＬＰ１であり、前記第７レンズ群は前記レンズ群ＬＮ１であり、前記第８レンズ群は前記レンズ群ＬＰ２であり、前記第９レンズ群は前記レンズ群ＬＮ２であることを特徴とする請求項１乃至９のいずれか１項に記載のズームレンズ。
【請求項１３】
請求項１乃至１２のいずれか１項に記載のズームレンズと、該ズームレンズによって形成される像を受光する撮像素子を有することを特徴とする撮像装置。
【発明の詳細な説明】
【技術分野】
【０００１】
本発明は、ズームレンズ及びそれを有する撮像装置に関し、デジタルカメラ、ビデオカメラ、ＴＶカメラ、監視用カメラ等の撮像装置に用いられる撮像光学系に好適なものである。
【背景技術】
【０００２】
撮像装置（カメラ）に用いる撮影光学系には、用途に応じて様々な焦点距離や口径の光学系が要望されている。例えば、遠くの被写体を所望の画角で拡大撮影できる望遠ズームレンズに対しては、高画質でレンズ全長が短く、高ズーム比で、迅速なフォーカシングができること等が要望されている。これらの要求を満足するズームレンズとして、最も物体側に正の屈折力のレンズ群を配置したポジティブリード型で物体側の第１レンズ群以外のレンズ群でフォーカシングを行うリアーフォーカス方式を採用したズームレンズが知られている（特許文献１、２）。
【０００３】
特許文献１は物体側から像側へ順に配置された、正、負、正、正の屈折力の第１レンズ群乃至第４レンズ群より構成され、ズーミングに際して隣り合うレンズ群の間隔が変化するズームレンズを開示している。そしてフォーカシングに際して第１レンズ群を構成する一部のレンズ系を移動させている。特許文献２は物体側から像側へ順に配置された、正、負、正、負、正、負の屈折力の第１レンズ群乃至第６レンズ群より構成され、ズーミングに際して隣り合うレンズ群の間隔が変化するズームレンズを開示している。そしてフォーカシングに際して第６レンズ群が移動するズームレンズを開示している。
【０００４】
またレンズ全長の短縮化とレンズ鏡筒径の小型化を図るために、バックフォーカスを短く設定し、レンズ最終面から像面までの間にメカニカルな部分を除いた、所謂ミラーレスタイプのズームレンズが知られている（特許文献３）。特許文献３は物体側から像側へ順に配置された、正、負、正、負、正、負の屈折力の第１レンズ群乃至第６レンズ群より構成され、ズーミングに際して隣り合うレンズ群の間隔が変化するズームレンズを開示している。そしてフォーカシングに際して第４レンズ群が移動するズームレンズを開示している。
【先行技術文献】
【特許文献】
【０００５】
【特許文献１】特開２０１４−０３５４８０号公報
【特許文献２】特開２０１５−１９１００８号公報
【特許文献３】特開２００６−２５１４６２号公報
【発明の概要】
【発明が解決しようとする課題】
【０００６】
撮像装置に用いるズームレンズには、レンズ系全体が小型であること、フォーカスレンズ群が小型軽量でフォーカシングに際して収差変動が少ないこと等が強く要望されている。この他、望遠型のズームレンズであるときは、レンズ全長が短いこと等が強く要望されている。
【０００７】
ポジティブリード型のズームレンズは所定のズーム比を確保しつつ、全系の小型化を図るのが比較的容易である。しかしながら全ズーム範囲また全物体距離にわたり高い光学性能を得るには、ズームタイプ（レンズ群の数や各レンズ群の屈折力等）や、ズーミングにおける各レンズ群の移動条件、フォーカシング用のレンズ群の選択等を設定することが重要になってくる。
【０００８】
本発明は、全ズーム範囲及び全物体距離にわたり高い光学性能が容易に得られるレンズ全長の短い小型のズームレンズ及びそれを有する撮像装置を提供することを目的とする。
【課題を解決するための手段】
【０００９】
本発明のズームレンズは、最も物体側に正の屈折力のレンズ群ＬＰが配置され、該レンズ群ＬＰの像側に負の屈折力のレンズ群ＬＮＦが配置され、該レンズ群ＬＮＦの像側に開口絞りが配置され、該開口絞りより像側に、物体側から像側へ順に連続して正の屈折力のレンズ群ＬＰ１、負の屈折力のレンズ群ＬＮ１、正の屈折力のレンズ群ＬＰ２、負の屈折力のレンズ群ＬＮ２が配置され、ズーミングに際して隣り合うレンズ群の間隔が変化するズームレンズであって、
フォーカシングに際して前記レンズ群ＬＮ１が移動し、望遠端における全系の焦点距離をｆｔ、望遠端におけるレンズ全長をＴｄｔ、広角端におけるレンズ全長をＴｄｗ、広角端での前記レンズ群ＬＰ２と前記レンズ群ＬＮ２のレンズ群間隔に対する望遠端での前記レンズ群ＬＰ２と前記レンズ群ＬＮ２のレンズ群間隔の変化量をΔＬＰＮ２とし、ΔＬＰＮ２の符号は広角端に比べて望遠端においてレンズ群間隔が増加するときを正、減少するときを負とするとき、
０．４０＜ｆｔ／Ｔｄｔ＜１．２０
０．０５＜−ΔＬＰＮ２／Ｔｄｗ＜０．３０
なる条件式を満足することを特徴としている。
【発明の効果】
【００１０】
本発明によれば、全ズーム範囲及び全物体距離にわたり高い光学性能が容易に得られるレンズ全長の短い小型のズームレンズが得られる。
【図面の簡単な説明】
【００１１】
【図１】本発明の実施例１の広角端における断面図
【図２】（Ａ）、（Ｂ）  本発明の実施例１の物体距離無限遠時の広角端と望遠端における縦収差図
【図３】本発明の実施例２の広角端における断面図
【図４】（Ａ）、（Ｂ）  本発明の実施例２の物体距離無限遠時の広角端と望遠端における縦収差図
【図５】本発明の実施例３の広角端における断面図
【図６】（Ａ）、（Ｂ）  本発明の実施例３の物体距離無限遠時の広角端と望遠端における縦収差図
【図７】本発明の実施例４の広角端における断面図
【図８】（Ａ）、（Ｂ）  本発明の実施例４の物体距離無限遠時の広角端と望遠端における縦収差図
【図９】本発明の実施例５の広角端における断面図
【図１０】（Ａ）、（Ｂ）  本発明の実施例５の物体距離無限遠時の広角端と望遠端における縦収差図
【図１１】本発明の撮像装置の要部概略図
【発明を実施するための形態】
【００１２】
以下に本発明の好ましい実施の形態を添付の図面に基づいて詳細に説明する。本発明の
ズームレンズは、最も物体側に正の屈折力のレンズ群ＬＰが配置され、レンズ群ＬＰの像側に負の屈折力のレンズ群ＬＮＦが配置され、レンズ群ＬＮＦの像側に開口絞りが配置されている。そして開口絞りより像側に、物体側から像側へ順に連続して正の屈折力のレンズ群ＬＰ１、負の屈折力のレンズ群ＬＮ１、正の屈折力のレンズ群ＬＰ２、負の屈折力のレンズ群ＬＮ２が配置されている。そしてズーミングに際して隣り合うレンズ群の間隔が変化する。フォーカシングに際してレンズ群ＬＮ１が移動する。
【００１３】
図１は本発明の実施例１の広角端におけるレンズ断面図である。図２（Ａ）、（Ｂ）は実施例１の無限遠に合焦（フォーカス）したときの広角端、望遠端における収差図である。実施例１はズーム比２．７１、Ｆナンバー２．８７〜２．９６のズームレンズである。図３は本発明の実施例２の広角端におけるレンズ断面図である。図４（Ａ）、（Ｂ）は実施例２の無限遠に合焦（フォーカス）したときの広角端、望遠端における収差図である。実施例２はズーム比２．７１、Ｆナンバー２．９２のズームレンズである。
【００１４】
図５は本発明の実施例３の広角端におけるレンズ断面図である。図６（Ａ）、（Ｂ）は実施例３の無限遠に合焦（フォーカス）したときの広角端、望遠端における収差図である。実施例３はズーム比２．７１、Ｆナンバー２．９０のズームレンズである。図７は本発明の実施例４の広角端におけるレンズ断面図である。図８（Ａ）、（Ｂ）は実施例４の無限遠に合焦（フォーカス）したときの広角端、望遠端における収差図である。実施例４はズーム比２．７１、Ｆナンバー２．８９〜３．３５のズームレンズである。
【００１５】
図９は本発明の実施例５の広角端におけるレンズ断面図である。図１０（Ａ）、（Ｂ）は実施例５の無限遠に合焦（フォーカス）したときの広角端、望遠端における収差図である。実施例５はズーム比１．９５、Ｆナンバー３．９３〜３．９６のズームレンズである。図１１は本発明の撮像装置の要部概略図である。
【００１６】
各実施例のズームレンズはビデオカメラやデジタルカメラ等の撮像装置に用いられる撮像光学系である。レンズ断面図において、左方が物体側（前方）で、右方が像側（後方）である。尚、各実施例のズームレンズをプロジェクターに用いても良く、このときは左方がスクリーン側、右方が被投射画像側となる。レンズ断面図においてＯＬはズームレンズである。ｉは物体側からのレンズ群の順番を示し、Ｌｉは第ｉレンズ群である。
【００１７】
ＳＰは光量調整用の開口絞りである。ＦＣは開口径が一定のフレアーカット絞り（ＦＳ絞り）である。ＩＰは像面であり、ビデオカメラやデジタルスチルカメラの撮像光学系として使用する際にはＣＣＤセンサやＣＭＯＳセンサ等の固体撮像素子（光電変換素子）の撮像面に相当する。レンズ断面図において、実線の矢印は無限遠に合焦したときに広角端から望遠端へのズーミングにおける各レンズ群の移動軌跡を示している。フォーカスにおける矢印は無限遠から近距離へのフォーカシングに際してのレンズ群の移動方向を示している。
【００１８】
収差図のうち、球面収差図において実線のｄはｄ線、２点鎖線のｇはｇ線である。非点収差図において点線のＭはｄ線でのメリディオナル像面、実線のＳはｄ線でのサジタル像面である。また、歪曲を示す図はｄ線における歪曲を示している。倍率色収差はｇ線について示している。ＦｎｏはＦナンバー、ωは半画角である。尚、以下の各実施例において広角端と望遠端は変倍用レンズ群が機構上光軸上を移動可能な範囲の両端に位置したときのズーム位置をいう。
【００１９】
実施例１、２、４のズームレンズは、物体側から像側へ順に配置された、正の屈折力の第１レンズ群Ｌ１、負の屈折力の第２レンズ群Ｌ２、開口絞りＳＰを有する。更に正の屈折力の第３レンズ群Ｌ３、負の屈折力の第４レンズ群Ｌ４、正の屈折力の第５レンズ群Ｌ５、負の屈折力の第６レンズ群Ｌ６、正の屈折力の第７レンズ群Ｌ７、負の屈折力の第８レンズ群Ｌ８より構成されている。
【００２０】
第１レンズ群Ｌ１はレンズ群ＬＰであり、第２レンズ群Ｌ２はレンズ群ＬＮＦであり、第５レンズ群Ｌ５はレンズ群ＬＰ１であり、第６レンズ群Ｌ６はレンズ群ＬＮ１である。第７レンズ群Ｌ７はレンズ群ＬＰ２であり、第８レンズ群Ｌ８はレンズ群ＬＮ２に相当する。
【００２１】
広角端から望遠端へのズーミングに際して、実施例１、２では第１レンズ群Ｌ１、第６レンズ群Ｌ６、第８レンズ群Ｌ８が物体側へ、第２レンズ群Ｌ２、第３レンズ群Ｌ３、第４レンズ群Ｌ４が像側へ移動する。第５レンズ群Ｌ５と第７レンズ群Ｌ７は不動である。無限遠から近距離へのフォーカシングに際して第６レンズ群Ｌ６は像側へ移動する。
【００２２】
実施例４では、広角端から望遠端へのズーミングに際して、第６レンズ群Ｌ６、第８レンズ群Ｌ８が物体側へ、第２レンズ群Ｌ２、第３レンズ群Ｌ３、第４レンズ群Ｌ４が像側へ移動する。第１レンズ群Ｌ１、第５レンズ群Ｌ５、第７レンズ群Ｌ７は不動である。無限遠から近距離へのフォーカシングに際して第６レンズ群Ｌ６は像側へ移動する。
【００２３】
実施例３のズームレンズは、物体側から像側へ順に配置された、正の屈折力の第１レンズ群Ｌ１、正の屈折力の第２レンズ群Ｌ２、負の屈折力の第３レンズ群Ｌ３、開口絞りＳＰを有する。更に正の屈折力の第４レンズ群Ｌ４、負の屈折力の第５レンズ群Ｌ５、正の屈折力の第６レンズ群Ｌ６、負の屈折力の第７レンズ群Ｌ７、正の屈折力の第８レンズ群Ｌ８、負の屈折力の第９レンズ群Ｌ９より構成されている。
【００２４】
第１レンズ群Ｌ１はレンズ群ＬＰであり、第３レンズ群Ｌ３はレンズ群ＬＮＦであり、第６レンズ群Ｌ６はレンズ群ＬＰ１であり、第７レンズ群Ｌ７はレンズ群ＬＮ１である。第８レンズ群Ｌ８はレンズ群ＬＰ２であり、第９レンズ群Ｌ９はレンズ群ＬＮ２に相当する。
【００２５】
実施例３では、広角端から望遠端へのズーミングに際して、第１レンズ群Ｌ１、第７レンズ群Ｌ７、第９レンズ群Ｌ９が物体側へ、第３レンズ群Ｌ３、第４レンズ群Ｌ４、第５レンズ群Ｌ５が像側へ移動する。第２レンズ群Ｌ２、第６レンズ群Ｌ６、第８レンズ群Ｌ８は不動である。無限遠から近距離へのフォーカシングに際して第７レンズ群Ｌ７は像側へ移動する。
【００２６】
実施例５のズームレンズは、物体側から像側へ順に配置された、正の屈折力の第１レンズ群Ｌ１、負の屈折力の第２レンズ群Ｌ２、開口絞りＳＰを有する。更に正の屈折力の第３レンズ群Ｌ３、負の屈折力の第４レンズ群Ｌ４、正の屈折力の第５レンズ群Ｌ５、負の屈折力の第６レンズ群Ｌ６より構成されている。第１レンズ群Ｌ１はレンズ群ＬＰであり、第２レンズ群Ｌ２はレンズ群ＬＮＦであり、第３レンズ群Ｌ３はレンズ群ＬＰ１であり、第４レンズ群Ｌ４はレンズ群ＬＮ１である。第５レンズ群Ｌ５はレンズ群ＬＰ２であり、第６レンズ群Ｌ６はレンズ群ＬＮ２に相当する。
【００２７】
実施例５では、広角端から望遠端へのズーミングに際して、第１レンズ群Ｌ１、第３レンズ群Ｌ３、第４レンズ群Ｌ４、第６レンズ群Ｌ６が物体側へ、第２レンズ群Ｌ２は像側へ移動する。第５レンズ群Ｌ５は不動である。無限遠から近距離へのフォーカシングに際して第４レンズ群Ｌ４は像側へ移動する。
【００２８】
次に各実施例のズームレンズの特徴について説明する。特許文献１の変倍光学系では、ズーミングに際して第２レンズ群を像側に移動させることで、第１レンズ群と第２レンズ群の間隔を変化させ、主な変倍効果を得ている。レンズ全長を短縮するには、第２レンズ群のズーミングに際しての移動量を減らす必要があり、その分の負担を他のレンズ群で軽減する必要がある。
【００２９】
具体的には、リレーレンズ群である、正の屈折力の第４レンズ群及び、バックフォーカスとなる像側のスペースがポイントになって来る。
【００３０】
次に、特許文献２のズームレンズのように、ズーミングに際して第１レンズ群を物体側に大きく繰り出すズームタイプの望遠型のズームレンズは、第１レンズ群の繰り出しによる第１レンズ群と第２レンズ群の間隔変化により、主な変倍効果を得ている。望遠端のレンズ全長を短縮するには、第１レンズ群のズーミングに際しての繰り出し量を小さくする必要があり、その分の負担を他のレンズ群で軽減する必要がある。具体的には、バックフォーカスとなる像側のスペースがポイントになって来る。
【００３１】
特許文献１では、第１レンズ群を２つの正の屈折力のレンズ群に分割し、後のレンズ群でフォーカシングを行っているが、有効径が大きくなるレンズのレンズ枚数が増加してくる傾向があった。レンズ全長が固定タイプであろうと、レンズ全長が可変のタイプであろうと、全系の軽量化のためには、フォーカシングレンズ群は特許文献２に示す負の屈折力のレンズ群で行うリアフォーカスタイプが好ましい。
【００３２】
長いバックフォーカスを有するズームレンズでは、この負の屈折力のレンズ群の軸上光線の入射高ｈを上げ過ぎるとズーミングに際して球面収差の変動が大きくなる。このため、像側の最終のレンズ群でフォーカシングを行っている。しかしながら、短いバックフォーカスのズームレンズでは、フォーカシングレンズ群の像側に、まだスペースがある。
【００３３】
本発明者は、ここに新たに正の屈折力のレンズ群と負の屈折力のレンズ群を配置し、この２つのレンズ群の間隔を狭めるように駆動することで、変倍補助を行えることを見出した。
【００３４】
本発明のズームレンズは、フォーカシングレンズ群を開口絞りより像側の負の屈折力のレンズ群で行い、かつ短いバックフォーカスで空いた像側のスペースに新たに正の屈折力のレンズ群と負の屈折力のレンズ群を配置し、変倍補助をする。これにより主たる変倍を担う第１レンズ群と第２レンズ群のズーミングに際しての移動量を小さくし、レンズ全長を短縮しつつ、高い高性能化を得ている。
【００３５】
各実施例のズームレンズにおいて、望遠端における全系の焦点距離をｆｔ、望遠端におけるレンズ全長をＴｄｔ、広角端に比べて望遠端でのレンズ群ＬＰ２とレンズ群ＬＮ２のレンズ群間隔の変化量をΔＬＰＮ２とする。（ここでレンズ群間隔の変化量の符号は広角端に比べて望遠端においてレンズ群間隔が拡大するときを正、減少するときを負とする。）広角端におけるレンズ全長をＴｄｗとする。このとき、
０．４０＜ｆｔ／Ｔｄｔ＜１．２０          ・・・（１）
０．０５＜−ΔＬＰＮ２／Ｔｄｗ＜０．３０  ・・・（２）
なる条件式を満足する。
【００３６】
次に前述の各条件式の技術的意味について説明する。条件式（１）の数値範囲を逸脱すると、第１レンズ群で軸上光線の入射高ｈが十分に高くならない。このため、レンズ全長を短縮しつつ、高い光学性能を得るのが困難になる。
【００３７】
好ましくは、条件式（１）の数値範囲を次の如く設定するのが良い。
０．５０＜ｆｔ／Ｔｄｔ＜１．００          ・・・（１ａ）
【００３８】
次に、本発明のズームレンズは、広角端から望遠端へのズーミングに際してレンズ群ＬＰ１とレンズ群ＬＮ１の間隔及びレンズ群ＬＰ２とレンズ群ＬＮ２の間隔を、共に狭めている。それにより、レンズ群ＬＰ１とレンズ群ＬＮ１の間隔、レンズ群ＬＰ２とレンズ群ＬＮ２の間隔をズーミングに際して効率的に変化させることで、変倍補助を行っている。それにより第１レンズ群Ｌ１と第２レンズ群Ｌ２の変倍負担を軽減し、レンズ全長の短縮かつ全系の軽量化を図りつつ、高い光学性能を得ている。
【００３９】
本発明では、フォーカシングレンズ群（レンズ群ＬＮ１）よりも像側の位置に、レンズ群ＬＰ２とレンズ群ＬＮ２群を配置し、双方のレンズ群の間隔を変化させ、効率的に変倍補助を行っている。
【００４０】
条件式（２）はこのときのレンズ群ＬＰ２とレンズ群ＬＮ２の間隔の変化を規定している。条件式（２）は、ズーミングに際してレンズ群ＬＰ２とレンズ群ＬＮ２の間隔を適切に変化させ、効率的に変倍補助を行うためのものである。
【００４１】
条件式（２）の上限値を逸脱すると、レンズ群ＬＰ２とレンズ群ＬＮ２の間隔変化が大き過ぎ、フォーカシングレンズ群（レンズ群ＬＮ１）への軸上光束の入射高ｈが大きくなってしまい、フォーカシングによる球面収差の変動が大きくなるため好ましく無い。条件式（２）の下限値を逸脱すると、ズーミングに際してレンズ群ＬＰ２とレンズ群ＬＮ２の間隔変化が小さく、変倍補助の効果が弱まるため、好ましく無い。
【００４２】
より好ましくは条件式（２）の数値範囲を次の如く設定するのが良い。
０．０８＜−ΔＬＰＮ２／Ｔｄｗ＜０．２０      ・・・（２ａ）
【００４３】
以上のように、本発明によれば、望遠端のレンズ全長が短く、全系が軽量で高性能で短いバックフォーカスのズームレンズを得ることができる。
【００４４】
次に各実施例において、より好ましい条件について説明する。広角端から望遠端へのズーミングにおけるレンズ群ＬＮ１の移動量をΔＭＬＮ１とする。ここでレンズ群の移動量とは広角端と望遠端におけるレンズ群の光軸上の位置の差をいい、移動量の符号はレンズ群が広角端と比べて望遠端において像側に位置するときを正、物体側に位置するときを負とする。
【００４５】
広角端から望遠端へのズーミングにおけるレンズ群ＬＮ２の移動量をΔＭＬＮ２とする。レンズ群ＬＰ２の焦点距離をｆＬＰ２、レンズ群ＬＮ２の焦点距離をｆＬＮ２とする。レンズ群ＬＰ１の焦点距離をｆＬＰ１、レンズ群ＬＮ１の焦点距離をｆＬＮ１、レンズ群ＬＰ２の焦点距離をｆＬＰ２、レンズ群ＬＮ２の焦点距離をｆＬＮ２とする。
【００４６】
このとき次の条件式のうち１つ以上を満足するのが良い。
０．０２＜−ΔＭＬＮ１／Ｔｄｗ＜０．１０  ・・・（３）
０．０５＜−ΔＭＬＮ２／Ｔｄｗ＜０．３０  ・・・（４）
０．４０＜−ｆＬＰ２／ｆＬＮ２＜１．５０    ・・・（５）
０．１０＜ｆＬＰ１／ｆｔ＜０．４０        ・・・（６）
０．１０＜−ｆＬＮ１／ｆｔ＜０．５０      ・・・（７）
０．３０＜ｆＬＰ２／ｆｔ＜１．００        ・・・（８）
０．４０＜−ｆＬＮ２／ｆｔ＜１．５０      ・・・（９）
【００４７】
次に前述の各条件式の技術的意味について説明する。条件式（３）は少ないスペースで効率的に変倍かつフォーカシングをしつつ、レンズ全長を短くし、かつフォーカシングに際して球面収差の変動を軽減するためのものである。条件式（３）の上限値を逸脱すると、レンズ群ＬＮ１のズーミング及びフォーカシングに際しての移動量が大きくなり、レンズ全長が長くなるため好ましくない。
【００４８】
条件式（３）の下限値を逸脱すると、レンズ群ＬＮ１の負の屈折力が強過ぎ（負の屈折力の絶対値が大きくなりすぎて）、フォーカシングに際して球面収差の変動が大きくなるため好ましくない。好ましくは条件式（３）の数値範囲を次の如く設定するのか良い。
０．０３＜−ΔＭＬＮ１／Ｔｄｗ＜０．０９      ・・・（３ａ）
【００４９】
条件式（４）は変倍を効果的に行いつつ、高い光学性能を得るためのものである。条件式（４）の上限値を逸脱すると、ズーミングに際してのレンズ群ＬＮ２の移動量が大き過ぎ、フォーカシング用のレンズ群ＬＮ１の軸上光線の入射高ｈが上がり過ぎ、フォーカシングに際しての収差変動が大きくなるため好ましくない。条件式（４）の下限値を逸脱すると、変倍を効果的に行うのが困難になる。好ましくは条件式（４）の数値範囲を次の如く設定するのが良い。
０．０７＜−ΔＭＬＮ２／Ｔｄｗ＜０．２０      ・・・（４ａ）
【００５０】
条件式（５）は所定のズーム比を確保しつつ、全系の小型化を図るためのものである。条件式（５）の上限値を逸脱すると、レンズ群ＬＮ２の負の屈折力が強過ぎて、レンズ群ＬＰ２とレンズ群ＬＮ２の合成パワーの負が強くなる。そうすると、フォーカシング用のレンズ群ＬＮ１のフォーカシング敏感度が下がってしまうため、全系が大型化してくる。
【００５１】
条件式（５）の下限値を逸脱すると、レンズ群ＬＮ２の負の屈折力が弱過ぎて、変倍の効果が小さくなるため好ましくない。より好ましくは、条件式（５）の数値範囲を次の如く設定するのが良い。
０．５０＜−ｆＬＰ２／ｆＬＮ２＜１．２０          ・・・（５ａ）
【００５２】
条件式（６）乃至（９）は各々レンズ群ＬＰ１、レンズ群ＬＮ１、レンズ群ＬＰ２、レンズ群ＬＮ２の屈折力を適切に設定するためのものである。条件式（６）の上限値を逸脱すると、レンズ群ＬＰ１の正の屈折力が弱過ぎ、レンズ群ＬＮ１との間隔変化による変倍の補助効果が弱まるため、好ましくない。条件式（６）の下限値を逸脱すると、レンズ群ＬＰ１の正の屈折力が強過ぎ、ズーミングに際して球面収差の変動が大きくなるため、好ましくない。
【００５３】
条件式（７）の上限値を逸脱すると、レンズ群ＬＮ１のフォーカシングに際しての移動量が増大し、レンズ全長が伸びるため好ましくない。条件式（７）の下限値を逸脱すると、フォーカシングに際して球面収差の変動が大きくなるため好ましくない。
【００５４】
条件式（８）の上限値を逸脱すると、レンズ群ＬＰ２の正の屈折力が弱過ぎ、レンズ群ＬＮ１のフォーカス敏感度が低下してくるため、好ましくない。条件式（８）の下限値を逸脱すると、レンズ群ＬＰ２の正の屈折力が強過ぎ、レンズ群ＬＮ２が移動した時、像面湾曲の変動が大きくなるため、好ましくない。
【００５５】
条件式（９）の上限値を逸脱すると、レンズ群ＬＮ２の負の屈折力が弱過ぎ、変倍の効果が小さくなるため好ましくない。条件式（９）の下限値を逸脱すると、レンズ群ＬＮ２の負の屈折力が強過ぎ、ズーミングに際しての像面湾曲の変動が大きくなるため好ましくない。
【００５６】
より好ましくは、条件式（６）、（７）、（８）、（９）の数値を次の如く設定するのが良い。
０．１５＜ｆＬＰ１／ｆｔ＜０．３０      ・・・（６ａ）
０．２０＜−ｆＬＮ１／ｆｔ＜０．４０    ・・・（７ａ）
０．４０＜ｆＬＰ２／ｆｔ＜０．８０      ・・・（８ａ）
０．５０＜−ｆＬＮ２／ｆｔ＜１．２０    ・・・（９ａ）
【００５７】
次に、本発明のズームレンズの好ましいレンズ構成について説明する。レンズ群ＬＰ２は、ズーミングに際し、不動であると良い。短いバックフォーカスを活用し、変倍用のレンズ群を増やすことは、レンズ全長の短縮には効果的だが、保持構造が複雑化すると、本体が大型化してくる。
【００５８】
そこで、ズーミングに際してレンズ群ＬＰ２を不動とし、レンズ群ＬＮ２をレンズ群ＬＰ２に寄せるように移動することで、簡易構造を容易にしている。第２レンズ群Ｌ２を像ぶれ補正に際して光軸に対して垂直方向に成分を含む方向に移動させる防振レンズ群（ＩＳ）としても良い。これによれば像ぶれ補正を効果的に行うことができる。
【００５９】
次に本発明のズームレンズを撮像光学系として用いたデジタルスチルカメラ（撮像装置）の実施例に関して図１１を用いて説明する。
【００６０】
図１１において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００６１】
このように本発明のズームレンズをデジタルスチルカメラ等の撮像装置に適用することにより、高ズーム比でレンズ全長が短く、全系が小型で、像ぶれ補正の際にも良好な光学性能を有するズームレンズ及び撮像装置が得られる。
【００６２】
以下に実施例１乃至５に対応する数値データ１乃至５を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直な方向にＨ軸、光の進行方向を正としＲを近軸曲率半径、Ｋ、Ａ２、Ａ４、Ａ６、Ａ８、Ａ１０、Ａ１２を各々非球面係数とするとき、
【００６３】
【数１】
2019008236.tif 000003
【００６４】
で与えるものとする。各非球面係数において「ｅ−ｘ」は「１０-x」を意味する。また、焦点距離、Ｆナンバー等のスペックに加え、全系の半画角、像高は半画角を決定する最大像高、レンズ全長は第１レンズ面から像面までの距離である。バックフォーカスＢＦは最終レンズ面から像面までの長さを示している。また、各レンズ群データは、各レンズ群とそれらの焦点距離を示している。
【００６５】
また、各光学面の間隔ｄが（可変）となっている部分は、ズーミングに際して変化するものであり、別表に焦点距離に応じた面間隔を記している。尚、以下に記載する数値データ１乃至６のレンズデータに基づく、各条件式の計算結果を表１に示す。 
【００６６】
（数値データ１）
単位 mm
面データ
面番号       r        d      nd         νd       有効径
1        109.721    5.99   1.48749    70.2       74.50
2        305.911    0.15                         73.73
3         98.280    2.90   1.83400    37.2       71.23
4         62.911   12.32   1.43875    94.7       67.69
5      -4433.385  (可変)                         66.74
6       -219.409    1.50   1.77250    49.6       33.62
7         54.959    4.54                         32.12
8        -64.270    1.50   1.60311    60.6       32.15
9         59.426    4.76   1.90366    31.3       34.19
10       -211.760  (可変)                         34.47
11(絞り)    ∞       1.00                         (可変)
12         59.130    5.45   1.76385    48.5       35.83
13       -154.924  (可変)                         35.62
14        -44.185    1.50   1.85478    24.8       30.86
15         79.640    2.12                         31.70
16         78.702    4.03   1.89286    20.4       33.34
17       -243.555  (可変)                         33.57
18          ∞       2.41                         33.94
19       -308.726    4.69   1.76385    48.5       34.36
20        -45.842    0.15                         35.00
21         84.759    8.06   1.59522    67.7       35.24
22        -36.286    1.70   1.90366    31.3       35.04
23       -329.315    0.15                         35.51
24         46.838    4.34   1.59522    67.7       35.76
25        173.025  (可変)                         35.30
26       -503.722    1.60   1.83481    42.7       32.29
27         43.640  (可変)                         31.54
28        227.711    1.80   1.53172    48.8       34.88
29         64.457    5.19   1.68893    31.1       35.44
30       -170.565  (可変)                         35.61
31        -62.118    1.80   1.59522    67.7       37.29
32       -162.417                                 38.33
【００６７】
各種データ
ズーム比     2.71 
広角     中間     望遠
焦点距離      72.00   135.00   195.00  
Fナンバー      2.87     2.91     2.96  
半画角（度）  16.72     9.10     6.33  
像高          21.64    21.64    21.64  
レンズ全長   172.73   227.71   242.23  
BF            14.42    26.52    40.61  
d 5            1.64    61.99    83.07  
d10           14.35     9.69     1.81  
d13            5.55    10.13    13.97  
d17            9.35     4.06     1.55  
d25            9.43     5.29     2.54  
d27            8.36    12.50    15.25  
d30           29.97    17.87     3.78
ea11          29.26    32.32    34.77  
入射瞳位置    39.45   173.98   244.75  
射出瞳位置   -68.12   -65.80   -63.60  
前側主点位置  48.64   111.58    74.88  
後側主点位置 -57.58  -108.48  -154.39  
ズームレンズ群データ
群  始面    焦点距離  レンズ構成長  前側主点位置  後側主点位置
1    1     190.72        21.36        -1.04        -15.29
2    6     -58.13        12.30        -0.47         -9.55
3   11      56.65         6.45         1.86         -2.26
4   14     -71.95         7.65        -3.11         -8.50
5   18      40.67        21.51         6.25         -7.84
6   26     -48.04         1.60         0.80         -0.07
7   28     114.47         6.99         2.29         -1.99
8   31    -170.13         1.80        -0.70         -1.84
単レンズデータ
レンズ  始面  焦点距離
1       1    347.47
2       3   -217.72
3       4    141.50
4       6    -56.76
5       8    -50.96
6       9     51.78
7      12     56.65
8      14    -33.06
9      16     67.01
10      19     69.94
11      21     43.78
12      22    -45.25
13      24    106.53
14      26    -48.04
15      28   -169.74
16      29     68.52
17      31   -170.13
【００６８】
（数値データ２）
単位 mm
面データ
面番号       r        d      nd         νd       有効径
1        153.849    4.00   1.48749    70.2       73.35
2        314.421    0.15                         72.84
3         84.753    2.90   1.83400    37.2       70.87
4         58.506    0.15                         67.46
5         57.594   13.26   1.43387    95.1       67.48
6      -1071.255  (可変)                         66.80
7       -259.027    1.50   1.77250    49.6       33.57
8         56.303    4.51                         32.66
9        -61.789    1.50   1.60311    60.6       32.64
10         63.442    4.70   1.90366    31.3       34.75
11       -191.582  (可変)                         35.03
12(絞り)    ∞       1.00                         (可変)
13         63.598    5.44   1.76385    48.5       36.27
14       -129.460  (可変)                         36.06
15        -44.024    1.50   1.85478    24.8       30.82
16         85.264    1.96                         31.64
17         78.426    4.38   1.89286    20.4       33.11
18       -265.057  (可変)                         33.39
19          ∞       3.09                         33.91
20       -292.268    4.92   1.76385    48.5       34.40
21        -46.700    0.15                         35.06
22         91.180    8.48   1.59522    67.7       34.90
23        -35.947    1.70   1.90366    31.3       34.51
24       -319.043    0.15                         34.75
25         47.623    4.61   1.59522    67.7       34.69
26        208.981  (可変)                         34.09
27       -733.933    1.60   1.83481    42.7       32.35
28         43.245  (可変)                         31.49
29        243.136    1.80   1.53172    48.8       34.91
30         55.158    5.54   1.68893    31.1       35.58
31       -190.843  (可変)                         35.72
32        -64.795    1.80   1.59522    67.7       37.00
33       -216.528                                 38.03
【００６９】
各種データ
ズーム比     2.71 
広角     中間     望遠
焦点距離      72.00   135.00   194.99  
Fナンバー      2.92     2.92     2.92  
半画角（度）  16.73     9.10     6.33  
像高          21.64    21.64    21.64  
レンズ全長   172.73   227.50   242.86  
BF            14.38    26.45    39.44  
d 6            1.52    62.16    83.89  
d11           14.49     9.21     1.75  
d14            5.48     9.90    13.65  
d18            9.91     4.91     2.27  
d26            9.71     5.47     2.33  
d28            8.55    12.79    15.92  
d31           27.92    15.84     2.84  
ea12          28.75    32.36    35.54
入射瞳位置    38.39   168.62   240.35  
射出瞳位置   -66.33   -64.60   -63.34  
前側主点位置  46.17   103.46    65.42  
後側主点位置 -57.62  -108.55  -155.54  
ズームレンズ群データ
群  始面    焦点距離  レンズ構成長  前側主点位置  後側主点位置
1    1     191.47        20.45         0.21        -13.63
2    7     -60.35        12.21        -0.49         -9.53
3   12      56.52         6.44         2.03         -2.09
4   15     -73.41         7.84        -2.98         -8.37
5   19      41.71        23.09         7.30         -8.05
6   27     -48.87         1.60         0.82         -0.05
7   29     116.67         7.34         2.26         -2.22
8   32    -156.04         1.80        -0.48         -1.62
単レンズデータ
レンズ  始面  焦点距離
1       1    612.97
2       3   -238.50
3       5    126.42
4       7    -59.75
5       9    -51.67
6      10     53.21
7      13     56.52
8      15    -33.79
9      17     68.19
10      20     72.14
11      22     44.42
12      23    -44.96
13      25    102.53
14      27    -48.87
15      29   -134.62
16      30     62.69
17      32   -156.04
【００７０】
（数値データ３）
単位 mm
面データ
面番号       r        d      nd         νd       有効径
1         77.876    2.90   1.83400    37.2       67.67
2         58.365    0.15                         65.03
3         57.714   12.31   1.43387    95.1       65.14
4       3265.962  (可変)                         64.67
5         62.166    5.29   1.49700    81.5       47.10
6        283.921  (可変)                         46.39
7      -2565.283    1.50   1.77250    49.6       32.43
8         43.446    5.17                         31.00
9        -54.195    1.50   1.60311    60.6       31.00
10         51.726    4.59   1.90366    31.3       32.44
11       -289.087  (可変)                         32.57
12(絞り)    ∞       1.00                         (可変)
13        136.885    4.46   1.76385    48.5       32.81
14        -72.151  (可変)                         32.70
15        -36.684    1.50   1.85478    24.8       29.00
16        147.718    0.15                         30.03
17         84.403    3.64   1.89286    20.4       30.58
18       -184.640  (可変)                         30.84
19          ∞       4.00                         31.44
20       -189.924    4.10   1.76385    48.5       32.48
21        -44.163    0.15                         33.00
22         90.178    7.36   1.59522    67.7       33.23
23        -34.578    1.70   1.90366    31.3       33.08
24       -209.530    0.15                         33.61
25         68.698    3.53   1.59522    67.7       33.75
26        834.826  (可変)                         33.56
27        807.473    1.60   1.83481    42.7       30.98
28         43.535  (可変)                         30.31
29       -662.294    1.80   1.53172    48.8       34.21
30         44.273    6.75   1.68893    31.1       35.21
31       -120.619  (可変)                         35.35
32        -57.107    1.80   1.59522    67.7       36.09
33       -232.185                                 37.31
【００７１】
各種データ
ズーム比     2.71 
広角     中間     望遠
焦点距離      72.00   135.00   194.98  
Fナンバー      2.90     2.90     2.90  
半画角（度）  16.72     9.11     6.33  
像高          21.64    21.64    21.64  
レンズ全長   172.73   218.46   231.71  
BF            14.37    24.57    33.27  
d 4            1.00    46.74    60.00  
d 6            1.54    14.80    24.44  
d11           22.49    11.83     2.05  
d14            4.63     7.36     8.54  
d18            8.72     3.39     2.34  
d26           13.84     8.23     1.50  
d28            7.44    13.05    19.78  
d31           21.60    11.40     2.69 
ea12          28.14    31.02    32.70 
入射瞳位置    50.38   169.98   234.87  
射出瞳位置   -57.02   -55.16   -57.46  
前側主点位置  49.77    76.40    10.85  
後側主点位置 -57.63  -110.42  -161.71  
ズームレンズ群データ
群  始面    焦点距離  レンズ構成長  前側主点位置  後側主点位置
1    1     254.46        15.36        -2.78        -13.04
2    5     158.89         5.29        -0.98         -4.48
3    7     -49.87        12.76         0.57         -8.94
4   12      62.43         5.46         2.67         -0.88
5   15     -75.45         5.29        -1.46         -4.42
6   19      43.42        20.99         7.91         -6.54
7   27     -55.17         1.60         0.92          0.05
8   29     118.97         8.55         4.00         -1.20
9   32    -127.73         1.80        -0.37         -1.50
単レンズデータ
レンズ  始面  焦点距離
1       1   -299.57
2       3    135.26
3       5    158.89
4       7    -55.29
5       9    -43.65
6      10     48.87
7      13     62.43
8      15    -34.25
9      17     65.29
10      20     74.43
11      22     42.94
12      23    -46.04
13      25    125.55
14      27    -55.17
15      29    -77.98
16      30     47.81
17      32   -127.73
【００７２】
（数値データ４）
単位 mm
面データ
面番号       r        d      nd         νd       有効径
1        103.840    2.90   1.83400    37.2       67.21
2         63.802    0.15                         65.30
3         63.293   10.63   1.43387    95.1       65.42
4        606.140    0.88                         65.24
5         73.595    9.31   1.49700    81.5       64.77
6     -49037.103  (可変)                         64.12
7       -247.482    1.50   1.77250    49.6       41.10
8         55.241    4.47                         38.28
9       -114.175    1.50   1.60311    60.6       38.45
10         49.033    5.11   1.90366    31.3       38.06
11       6489.383  (可変)                         37.83
12(絞り)    ∞       1.00                         (可変)
13         87.182    5.24   1.76385    48.5       37.48
14       -123.368  (可変)                         37.20
15        -47.669    1.50   1.85478    24.8       31.90
16         97.690    0.15                         32.69
17         76.387    4.14   1.89286    20.4       33.04
18       -260.494  (可変)                         33.20
19          ∞       2.00                         34.98
20       -304.646    4.51   1.76385    48.5       35.48
21        -51.689    0.15                         35.92
22         97.124    7.72   1.59522    67.7       35.69
23        -38.689    1.70   1.90366    31.3       35.40
24       -396.262    0.15                         35.59
25         69.798    3.97   1.59522    67.7       35.65
26       1092.733  (可変)                         35.37
27      -1244.993    1.60   1.83481    42.7       31.66
28         45.593  (可変)                         31.10
29      -3443.388    1.80   1.53172    48.8       34.15
30         42.345    6.74   1.68893    31.1       35.13
31       -138.940  (可変)                         35.25
32        -51.591    1.80   1.59522    67.7       36.56
33       -141.947                                 37.81
【００７３】
各種データ
ズーム比     2.71 
広角     中間     望遠
焦点距離      72.00   135.09   194.98  
Fナンバー      2.89     3.15     3.35  
半画角（度）  16.72     9.10     6.33  
像高          21.64    21.64    21.64  
レンズ全長   207.73   207.72   207.71  
BF            14.37    24.43    34.43  
d 6            1.85    33.70    50.04  
d11           45.07    18.54     2.53  
d14            6.41     9.13    11.72  
d18           14.05     6.01     3.09  
d26           13.64     8.94     1.71  
d28            8.49    13.20    20.43  
d31           23.24    13.18     3.17  
ea12          32.05    35.90    37.31
入射瞳位置    65.81   128.50   158.14  
射出瞳位置   -62.02   -57.96   -59.85  
前側主点位置  69.95    42.07   -50.13  
後側主点位置 -57.63  -110.67  -160.55  
ズームレンズ群データ
群  始面    焦点距離  レンズ構成長  前側主点位置  後側主点位置
1    1     128.52        23.87         6.81         -9.70
2    7     -61.51        12.58         0.16         -8.85
3   12      67.60         6.24         2.24         -1.76
4   15     -88.49         5.79        -1.32         -4.53
5   19      48.72        20.20         5.90         -7.28
6   27     -52.66         1.60         0.84         -0.03
7   29     118.37         8.54         3.54         -1.66
8   32    -137.19         1.80        -0.65         -1.79
単レンズデータ
レンズ  始面  焦点距離
1       1   -205.16
2       3    161.93
3       5    147.87
4       7    -58.33
5       9    -56.68
6      10     54.65
7      13     67.60
8      15    -37.30
9      17     66.54
10      20     80.87
11      22     47.49
12      23    -47.55
13      25    125.08
14      27    -52.66
15      29    -78.66
16      30     47.83
17      32   -137.19
【００７４】
（数値データ５）
単位 mm
面データ
面番号       r        d      nd         νd       有効径
1         66.660    4.35   1.83400    37.2       52.42
2        144.021    6.39                         51.80
3        107.986    2.90   1.83400    37.2       48.29
4         42.714    8.58   1.43875    94.7       45.26
5       1237.998  (可変)                         44.69
6        850.817    1.50   1.77250    49.6       24.10
7         54.192    3.29                         23.54
8        -39.322    1.50   1.77250    49.6       23.55
9         41.848    5.00   1.83400    37.2       25.13
10        -56.406  (可変)                         25.61
11(絞り)    ∞       2.06                         26.65
12        -85.566    2.37   1.76385    48.5       27.01
13        -46.397    0.15                         27.38
14        108.911    4.83   1.59522    67.7       27.41
15        -36.361    1.70   1.90366    31.3       27.41
16       -107.055    0.15                         27.87
17         32.791    3.07   1.49700    81.5       27.97
18         65.998  (可変)                         27.57
19       -257.233    1.60   1.51633    64.1       24.27
20         36.519  (可変)                         23.99
21        599.321    6.29   1.51823    58.9       36.14
22        -45.923  (可変)                         36.70
23        -49.127    1.80   1.49700    81.5       36.82
24       -196.380                                 38.28
【００７５】
各種データ
ズーム比     1.95 
広角     中間     望遠
焦点距離     100.00   150.00   195.00  
Fナンバー      3.93     4.02     3.96  
半画角（度）  12.21     8.21     6.33  
像高          21.64    21.64    21.64  
レンズ全長   167.73   207.60   231.68  
BF            14.37    26.69    33.55  
d 5            0.92    44.15    71.55  
d10           11.17     4.68     1.03  
d18           14.07     9.49     2.95  
d20           16.23    23.96    30.82  
d22           53.44    41.11    34.25  
入射瞳位置    41.04   127.12   223.98  
射出瞳位置   -65.70   -67.87   -69.56  
前側主点位置  16.15    39.18    50.17  
後側主点位置 -85.63  -123.31  -161.46  
ズームレンズ群データ
群  始面    焦点距離  レンズ構成長  前側主点位置  後側主点位置
1    1     186.14        22.22        -8.75        -24.16
2    6     -66.19        11.29        -2.16        -10.57
3   11      47.70        14.33         5.20         -4.42
4   19     -61.82         1.60         0.92         -0.13
5   21      82.58         6.29         3.86         -0.30
6   23    -132.36         1.80        -0.40         -1.61
単レンズデータ
レンズ  始面  焦点距離
1       1    145.09
2       3    -86.48
3       4    100.61
4       6    -74.99
5       8    -26.03
6       9     29.49
7      12    129.29
8      14     46.37
9      15    -61.64
10      17    127.23
11      19    -61.82
12      21     82.58
13      23   -132.36
【００７６】
【表１】
2019008236.tif 000004
【符号の説明】
【００７７】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      Ｌ８  第８レンズ群      Ｌ９  第９レンズ群
ＬＰ  レンズ群          ＬＮＦ  レンズ群        ＬＰ１  レンズ群
ＬＰ２  レンズ群        ＬＮ２  レンズ群
【図１】
2019008236.tif 000005
【図２】
2019008236.tif 000006
【図３】
2019008236.tif 000007
【図４】
2019008236.tif 000008
【図５】
2019008236.tif 000009
【図６】
2019008236.tif 000010
【図７】
2019008236.tif 000011
【図８】
2019008236.tif 000012
【図９】
2019008236.tif 000013
【図１０】
2019008236.tif 000014
【図１１】
2019008236.tif 000015